(57)【要約】【課題】 現状のレイアウト情報から、移設の対象となる設備の移設先を自動で探索し、移設したときのレイアウトの定量的な評価値を算出することで、レイアウトの決定を支援するレイアウト支援システムを提供する。【解決手段】  現状のレイアウト情報は情報記憶部１１０に記憶されている。レイアウト生成手段１２０は、現状のレイアウト情報から、移設の対象となる設備の移設先を自動で探索し、移設したときのレイアウト情報を生成する。移設したときのレイアウト情報の物流コストは、物流コスト演算手段１３１で演算される。レイアウト情報抽出手段１４０は、移設したときの物流コストが現状の物流コストよりも低いレイアウト情報を抽出し、抽出したレイアウト情報に対応する設備移設内容は表示手段１５０で表示される。【選択図】      図１
2006048482.tif 000002
【特許請求の範囲】
【請求項１】
少なくとも移設前のレイアウトを数値化したデジタル情報である移設前レイアウト情報を記憶したレイアウト情報記憶手段と、移設する設備を選択し、前記レイアウト情報記憶手段から取得した前記移設前のレイアウト情報の中から、前記設備を移設できるすべての場所を探索し、探索した場所に前記設備を移設したときの移設後のレイアウト情報を生成するレイアウト生成手段と、レイアウト情報の定量的な評価値である評価指標を算出する評価指標演算手段と、前記評価指標演算手段で演算した前記評価指標に基き、前記レイアウト生成手段が生成した前記移設後のレイアウト情報の中から、一つ以上の前記移設後のレイアウト情報を抽出するレイアウト情報抽出手段と、前記レイアウト情報抽出手段が抽出した前記移設後のレイアウト情報の設備移設内容を表示する表示手段とを備えたことを特徴とするレイアウト支援システム。
【請求項２】
請求項１に記載のレイアウト支援システムにおいて、前記評価指標演算手段が演算する前記評価指標は物流コストであって、前記評価指標演算手段は、各設備相互間の物流量を記憶した物流情報記憶手段と、前記評価指標演算手段に伝送されたレイアウト情報から各設備相互間の物流ルートの距離を演算し、演算した各設備相互間の物流ルートの距離と各設備相互間の物流量とに基いて物流コストを演算する物流コスト演算手段を備えていることを特徴とするレイアウト支援システム。
【請求項３】
請求項１または請求項２記載のレイアウト支援システムにおいて、前記表示手段で表示される情報を、指定された条件に従いソートするソート手段を備えたことを特徴とするレイアウト支援システム。
【請求項４】
請求項１から請求項３のいずれかひとつに記載のレイアウト支援システムにおいて、前記レイアウト生成手段で生成された前記移設後レイアウト情報の中から、事前に設定された選択条件に従い前記移設後レイアウト情報を選択するレイアウト情報選択手段を備えていることを特徴とするレイアウト支援システム。
【請求項５】
設備を移設する前の移設前レイアウト情報を取得する工程と、取得した前記移設前レイアウト情報の定量的な評価指標を演算もしくは取得する工程と、取得した前記移設前レイアウト情報の中から移設する設備を選択する工程と、前記設備を移設できるすべての場所を探索し、探索した場所に前記設備を移設したときの移設後レイアウト情報を生成する工程と、生成した前記移設後レイアウト情報の前記評価指標を演算する工程と、前記移設前レイアウト情報の前記評価指標と、前記移設後レイアウト情報の前記評価指標とを比較することで、生成した前記移設後レイアウト情報の中から一つ以上の前記移設後レイアウト情報を抽出する工程と、抽出した前記移設後レイアウト情報の設備移設内容を表示する工程とからなるレイアウト支援方法。
【請求項６】
請求項５に記載のレイアウト支援方法において、前記評価指標は、各設備相互間の物流ルートの距離と各設備相互間の物流量とから演算された物流コストであることを特徴とするレイアウト支援方法。
【請求項７】
請求項５または請求項６に記載のレイアウト支援方法において、前記移設後レイアウト情報を抽出する工程は、前記評価指標に基いて抽出された前記移設後レイアウト情報の中から、事前に設定された選択条件に従い前記移設後レイアウト情報を選択する工程を備えていることを特徴とするレイアウト支援方法。
【請求項８】
コンピュータをレイアウト支援システムとして機能させるためのプログラムであって、設備を移設する前の移設前レイアウト情報を取得する手順と、取得した前記移設前レイアウト情報の定量的な評価指標を演算もしくは取得する手順と、取得した前記移設前レイアウト情報の中から移設する設備を選択する手順と、前記設備を移設できるすべての場所を探索し、探索した場所に前記設備を移設したときの移設後レイアウト情報を生成する手順と、生成した前記移設後レイアウト情報の前記評価指標を演算する手順と、前記移設前レイアウト情報の前記評価指標と、前記移設後レイアウト情報の前記評価指標を比較することで、生成した前記移設後レイアウト情報の中から前記移設後レイアウト情報を抽出する手順と、抽出した前記移設後レイアウト情報の設備移設内容を表示する手順を備えたことを特徴とするプログラム。
【請求項９】
請求項８に記載のプログラムであって、前記評価指標は、各設備相互間の物流ルートの距離と各設備相互間の物流量とから演算された物流コストであることを特徴とするプログラム。
【請求項１０】
請求項８または請求項９に記載のプログラムであって、前記移設後レイアウト情報を抽出する手順は、前記評価指標に基いて抽出された前記移設後レイアウト情報の中から、事前に設定された選択条件に従い前記移設後レイアウト情報を選択する手順を備えていることを特徴とするプログラム。
【発明の詳細な説明】
【技術分野】
【０００１】
本発明は、コンピュータを利用して、工場・配送所等のレイアウトの決定を支援するレイアウト支援システム、レイアウト支援方法およびコンピュータをレイアウト支援システムとして実現させるためのプログラムに関する。
【背景技術】
【０００２】
近年、工場等に設置する設備のレイアウトが重要視されるようになってきた。設備のレイアウトは、作業効率または製造効率と深く密接し、サービスまたは製品の原価に影響を及ぼすからである。このため、従来、新規設備の導入時もしくは既存設備の更新時など、工場の既存設備を移設する際は、設備の設置スペースが最も重要なファクターであったが、現在では、設置スペースのみならず、移設後の作業効率・物流コストも重要なファクターとなっている。
【０００３】
作業効率・物流コストを考慮しレイアウトを決定するためには、膨大な計算が必要であり、人的な作業では限界があるため、コンピュータを利用したレイアウト支援システムが開発されている。コンピュータを利用したレイアウト支援システムの一例としては、特許文献１において、すべての設備相互間の物流量をレイアウト支援システム内に記憶し、レイアウトされるすべての設備相互間の物流量と設備相互間の距離とから物流コストを算出し、レイアウト全体を評価するシステムが開示されている。
【特許文献１】特開平１０−３２０４２８号公報
【発明の開示】
【発明が解決しようとする課題】
【０００４】
しかしながら、従来のレイアウト支援システムは、特許文献１に記述されているように、設計者が作成したレイアウト案を評価することのみ目的としたシステムであって、レイアウト作成を支援する機能は付加されていなかった。
【０００５】
そこで本発明は、上述の課題を鑑みて、新規設備の導入時もしくは設備の更新時など、既存設備の移設を行なう際に、移設の対象となる設備の移設先を自動で探索し、移設後のレイアウトの定量的な評価値を算出することで、レイアウトの決定を支援するレイアウト支援システム、レイアウト支援方法およびコンピュータをレイアウト支援システムとして実現させるためのプログラムを提供することを目的する。
【課題を解決するための手段】
【０００６】
上述した課題を解決するために、本発明に係わるレイアウト支援システムは、設備の移設を行なう際、移設の対象となる設備の移設先を自動的に選定するために、移設前の建物のレイアウトを数値化した移設前レイアウト情報を記憶するレイアウト情報記憶手段と、移設する設備を選択し、前記レイアウト情報記憶手段に記憶された前記移設前レイアウト情報を参照して、選択した設備が移設できるすべての場所を探索し、探索した場所に前記設備を移設したときの移設後レイアウト情報を生成するレイアウト生成手段を備えている。更に、本発明に係わるレイアウト支援システムは、レイアウト情報の定量的な評価値を算出するために、レイアウト情報の評価指標を算出する評価指標演算手段を備えている。加えて、本発明に係わるレイアウト支援システムは、レイアウトの決定を支援するために、前記評価指標演算手段で演算した前記評価指標に基き、前記レイアウト生成手段が生成した前記移設後レイアウト情報の中から、前記レイアウト情報を抽出するレイアウト情報抽出手段と、前記レイアウト情報抽出手段が抽出した前記移設後レイアウト情報の設備移設内容を表示する表示手段とを備えている。
【０００７】
上記構成によるレイアウト支援システムによれば、前記レイアウト生成手段を備えることで、設備を移設する際、レイアウト作成者が設備を移設できる場所を探索する作業を減らすことができる。そして、前記評価指標演算手段を設けることで、定量的にレイアウト情報の重要なファクターを算出し、前記移設後レイアウト情報を定量的に評価することができる。また、前記レイアウト情報抽出手段を備えることで、レイアウト作成者が、前記レイアウト生成手段が生成した前記移設後レイアウト情報を抽出する作業を減らすことができ、レイアウト情報抽出手段が抽出したレイアウト情報の設備移設内容は前記表示手段で、レイアウト作成者に伝達される。
【０００８】
次に、本発明のレイアウト支援システムにおいては、前記評価指標は物流コストとし、物流コストを演算するために、前記評価指標演算手段は、建物内に設置された各設備相互間の物流量を記憶した物流量記憶手段と、前記レイアウト情報から各設備相互間の物流ルートの距離を演算し、演算した各設備相互間の物流ルートの距離と各設備相互間の前記物流とに基いて物流コストを演算する物流コスト演算手段とを備えたレイアウト支援システムも提供する。前記評価指標を物流コストとすることで、設備を移設した後の、製品等の原価を事前にシミュレーションできる。
【０００９】
次に、本発明のレイアウト支援システムにおいては、前記表示手段で表示される情報を、指定された条件に従いソートするソート手段を備えたことを特徴とするレイアウト支援システムも提供する。前記ソート手段を備えることで、例えば、前記指定された条件を物流コストとすることで、物流コストの最も低い前記移設後レイアウト情報を、レイアウト作成者は容易に前記表示手段で確認できる。
【００１０】
次に、本発明のレイアウト支援システムにおいては、前記レイアウト生成手段で生成された前記移設後レイアウト情報の中から、事前に設定された選択条件に従い前記移設後レイアウト情報を選択するレイアウト情報選択手段を備えていることを特徴とするレイアウト支援システムも提供する。レイアウト支援システムが、前記レイアウト情報選択手段を備えることで、前記レイアウト生成手段で生成された前記移設後レイアウト情報の中から、自動的にレイアウト情報を選択することができる。
【００１１】
また、本発明のレイアウト支援方法は、移設前のレイアウト情報である移設前レイアウト情報を取得する工程と、取得した前記移設前レイアウト情報の定量的な評価指標を演算もしくは取得する工程と、取得した前記移設前レイアウト情報の中から移設する設備を選択する工程と、前記設備を移設できるすべての場所を探索し、探索した場所に前記設備を移設したときの移設後レイアウト情報を生成する工程と、生成した前記移設後レイアウト情報の前記評価指標を演算する工程と、前記移設前レイアウト情報の前記評価指標と、前記移設後レイアウト情報の前記評価指標とを比較することで、生成した前記移設後レイアウト情報の中から一つ以上の前記移設後レイアウト情報を抽出する工程と、抽出した前記移設後レイアウト情報の設備移設内容を表示する工程とからなるレイアウト支援方法を提供する。
【００１２】
次に、本発明のレイアウト支援方法においては、前記評価指標は、各設備相互間の物流ルートの距離と各設備相互間の物流量とから演算された物流コストであることを特徴とするレイアウト支援方法も提供する。
【００１３】
次に、本発明のレイアウト支援方法においては、前記移設後のレイアウト情報を抽出する工程は、前記評価指標に基いて抽出された前記移設後レイアウト情報の中から、事前に設定された選択条件に従い前記移設後レイアウト情報を選択する工程を備えていることを特徴とするレイアウト支援方法も提供する。
【００１４】
また、本発明は、コンピュータをレイアウト支援システムとして実現させるためのプログラムも提供する。前記プログラムは、移設前レイアウト情報を取得する手順と、取得した前記移設前レイアウト情報の定量的な評価指標を演算もしくは取得する手順と、取得した前記移設前レイアウト情報の中から移設する設備を選択する手順と、前記設備を移設できるすべての場所を探索し、探索した場所に前記設備を移設したときの移設後レイアウト情報を生成する手順と、生成した前記移設後レイアウト情報の前記評価指標を演算する手順と、前記移設前レイアウト情報の前記評価指標と、前記移設後レイアウト情報の前記評価指標とを比較することで、生成した前記移設後レイアウト情報の中から前記移設後レイアウト情報を抽出する手順と、抽出した前記移設後レイアウト情報の設備移設内容を表示する手順を備えたことを特徴とするプログラムである。上述したプログラムにおいて、前記評価指標は、各設備相互間の物流ルートの距離と各設備相互間の物流量とから演算された物流コストであることが好ましい。加えて、前記移設後レイアウト情報を抽出する手順は、前記評価指標に基いて抽出された前記移設後レイアウト情報の中から、事前に設定された選択条件に従い前記移設後レイアウト情報を選択する手順を備えていることが好ましい。
【発明の効果】
【００１５】
これまで述べた本発明によれば、新規設備の導入時もしくは設備の更新時など、既存設備の移設を行なう際に、移設の対象となる設備の移設先を自動的に探索し、移設したときのレイアウトの定量的な評価値である前記評価指標を自動的に算出することで、レイアウトの決定を支援するレイアウト支援システム、レイアウト支援方法およびプログラムを提供できる。
【発明を実施するための最良の形態】
【００１６】
〔実施の形態１〕
以下、本発明に係わる実施の形態１について、図を参照しながら詳細に説明する。図１は、実施の形態１のレイアウト支援システムの機能ブロック図である。
【００１７】
図１に示したように、実施の形態１のレイアウト支援システム１０には、工場・配送所等の建物内のレイアウトを数値化したデジタル情報であるレイアウト情報を記憶するレイアウト情報記憶手段として情報記憶手段１１０と、情報記憶手段１１０に記憶されているレイアウト情報から設備を移設したときの移設後レイアウト情報を生成するレイアウト生成手段１２０と、レイアウト情報の定量的な評価指標を演算する評価指標演算手段１３０と、レイアウト生成手段１２０で生成された移設後レイアウト情報の中から、評価指標演算手段１３０で演算された評価指標に基いて移設後レイアウト情報を抽出するレイアウト情報抽出手段１４０と、レイアウト情報抽出手段１４０で抽出された移設後レイアウト情報に関する情報を表示する表示手段１５０と、レイアウト支援システム１０の外部から情報を入力する入力手段１６０と、各手段を制御する制御手段１００とが備えられている。
【００１８】
レイアウト支援システム１０においては、レイアウト情報を評価するための指標である評価指標を物流コストとしており、評価指標を演算する評価指標演算手段１３０は、各設備相互間での物流量を記憶した物流量記憶手段１３２と、物流量記憶手段１３２に記憶された物流量とレイアウト情報とから物流コストを演算する物流コスト演算手段１３１とを備えている。また、表示手段１５０で表示される情報をソートするソート手段に該当する機能は、制御手段１００に備えられている。
【００１９】
ここから、図１に示した実施の形態１に係わるレイアウト支援方法１０の手順を示しながら、レイアウト支援システム１０の動作手順およびプログラムの手順について説明する。レイアウト支援システム１０の動作手順を説明することで、レイアウト支援システム１０に備えられた各手段の機能が明確になる。図２は、実施の形態１に係わるレイアウト支援方法の手順を示したフロー図である。
【００２０】
実施の形態１に係わるレイアウト支援方法の最初のステップＳ１１０は、移設前レイアウト情報として現状のレイアウト情報を取得するステップである。実施の形態１のレイアウト支援システム１０においては、レイアウト支援システム１０が動作を開始すると、制御手段１００は、情報記憶手段１１０から現状のレイアウト情報を取得する。
【００２１】
ここで、制御手段１００とは、演算機能を備え、図１の各手段を制御する手段で、コンピュータのＣＰＵ（Central Processing Unit)で実現される。また、情報記憶手段１１０とは、ＣＡＤ（Computer-Aided Design)等の図外レイアウト作成システムで作成されたレイアウト情報を記憶するレイアウト情報記憶手段で、ハードディスクに代表される情報記憶装置で実現される。情報記憶手段１１０には少なくとも移設前レイアウト情報として現状のレイアウト情報が記憶され、また情報記憶手段１１０にはレイアウトを支援するために用いられる様々な情報を記憶することができる。
【００２２】
図３は、情報記憶手段１１０に記憶されるレイアウト情報を説明するための図である。図３（ａ）に示したように、レイアウト情報１１１には、工場の建物情報１１２と設備情報１１３とが含まれている。図３（ｂ）に示したように、建物情報１１２には、建物の間取りを示す間取り情報１１２ａ、建物内の搬送路を示す搬送路情報１１２ｂ、建物内で設備が設置されている場所を示す設置場所情報１１２ｃが含まれる。図３（ｃ）に示したように、設備情報１１３は、工場に設置されている設備の台数だけ記憶される情報で、設備情報１１３には、設備の名称を示す設備名称情報１１３ａ、設備の識別番号を示す設備番号情報１１３ｂ、作業スペースも含む設備のサイズを示す設備サイズ情報１１３ｃ、工場内で設備が設置されている場所を示す設備設置情報１１３ｄ、設備が移設ができることを示す設備移設情報１１３ｅが含まれる。
【００２３】
次のステップＳ１２０は、取得した現状のレイアウト情報の物流コストを演算するステップである。実施の形態１のレイアウト支援システム１０においては、物流コストは、物流コスト演算手段１３１で演算される。
【００２４】
ここで、物流コスト演算手段１３１とは、レイアウト情報に基いて物流コストを演算する手段で、ＣＰＵの演算機能により実現される。物流コスト演算手段１３１は、制御手段１００からレイアウト情報が伝送されると、伝送されたレイアウト情報と物流量記憶手段１３２に記憶された物流量とから、伝送されたレイアウト情報に対する物流コストを演算する。
【００２５】
図４は、物流量記憶手段１３２に記憶された情報を説明するための図である。物流量記憶手段１３２は、建物内の物流量を記憶する手段で、情報記憶手段１１０と同じくハードディスク等で実現される。図４に示したように、物流量記憶手段１３２には、建物内に設置された各設備相互間の物流量が記憶されている。
【００２６】
物流コスト演算手段１３１は、制御手段１００からレイアウト情報が伝送されると、物流量記憶手段１３２から物流量を取得する。次に、物流コスト演算手段１３１は、レイアウト情報の建物情報１１２に含まれる設置場所情報１１２ｃを参照するなどして、各設備相互間の物流ルートの距離を演算する。そして、物流コスト演算手段１３１は、演算した各設備相互間の物流ルートの距離に、前記設備相互間の物流量を掛けることで、物流コストを算出し、算出した物流コストを制御手段１００に返信する。制御手段１００は、物流コスト演算手段１３１から物流コストを受け取ると、現状のレイアウト情報と現状のレイアウト情報の物流コストとを情報記憶部１１０に記憶する。
【００２７】
次のステップＳ１３０は、制御手段１１０が、現状のレイアウト情報から移設が可能であるすべての設備を抽出するステップである。実施の形態１のレイアウト支援システム１０においては、レイアウト情報の設備情報１１３に含まれる設備移設情報１１３ｅを参照することで、制御手段１００は移設可能な設備を抽出することができる。制御手段１００は、移設可能な設備を抽出すると、抽出した設備を特定する情報、ここでは設備情報１１３の設備番号情報１１３ｂを情報記憶手段１１０に記憶する。
【００２８】
次のステップＳ１４０は、抽出したすべての設備について、現状のレイアウト情報から、抽出した設備が移設できる場所を探索し、探索した場所に前記設備を移設したときの移設後レイアウト情報を生成するステップである。実施の形態１のレイアウト支援システム１０においては、制御手段１００は、情報記憶手段１１０に記憶した設備番号情報１１３ｂと現状のレイアウト情報とをレイアウト生成手段１２０に伝送する。そして、レイアウト生成手段１２０は、設備番号情報１１３ｂで特定される設備を移設した後の移設後レイアウト情報を生成する。なお、制御手段１００はこの処理を、情報記憶手段１１０に記憶したすべての設備番号情報１１３ｂに対して実行する。
【００２９】
ここで、レイアウト生成手段１２０とは、現状のレイアウト情報から移設後レイアウト情報を生成する手段で、伝送された設備番号情報１１３ｂと一致する情報を有する設備情報１１３から設備サイズ情報１１３ｃを取得し、建物情報１１２から、前記設備が移設できる建物内の場所を探索する。
【００３０】
実施の形態１においては、設備番号情報１１３ｂで特定される設備が移設できる建物内の場所を探索する際に、設備サイズ情報１１３ｃを使用しているが、建物情報１１２に消防法の区分、フロアの耐荷重等を記憶し、設備情報１１３に、設備を設置可能な条件として、消防法の区分、フロアの対荷重等の情報を付加することで、設備番号情報１１３で特定される設備が移設できる建物内の場所を、詳細な条件に基いて探索できることが望ましい。
【００３１】
レイアウト生成手段１２０は、設備番号情報１１３ｂで特定される設備を移設できる場所を探索するごとに、探索した場所に前記設備を移設したときの移設後レイアウト情報を生成し、移設後レイアウト情報を制御手段１００に返信する。制御手段１００は、設備番号情報１１３ｂに関連付けて、返信された移設後レイアウト情報を情報記憶部１１０に記憶する。
【００３２】
次のステップＳ１５０は、移設後レイアウト情報のすべてについて、物流コストを演算するステップである。実施の形態１に係わるレイアウト支援システム１０においては、制御手段１００から物流コスト演算手段１３１に、移設後レイアウト情報を伝送することで物流コストは演算される。制御手段１００は、物流コスト演算手段１３１から物流コストを取得すると、物流コスト演算手段１３１に伝送した移設後レイアウト情報に関連付けて物流コストを情報記憶手段１１０に記憶する。なお、制御手段１００はこの処理を、情報記憶手段１１０に記憶した移設後レイアウト情報すべてに対して実行する。
【００３３】
次のステップＳ１６０は、移設後レイアウト情報の中から、現状の物流コストよりも物流コストが低い移設後レイアウト情報を抽出するステップである。実施の形態１に係わるレイアウト支援システム１０においては、制御手段１００は、レイアウト情報抽出手段１４０を利用して移設後レイアウト情報を抽出する。
【００３４】
レイアウト情報抽出手段１４０は、情報記憶手段１１０に記憶された現状の物流コストと、同じく情報記憶手段１１０に記憶された設備を移設したときの物流コストを比較し、移設後レイアウト情報を抽出する。抽出したレイアウト情報は、情報記憶手段１１０の別なファイルとして記憶してもよく、もしくは情報記憶手段１１０に記憶された移設後レイアウト情報に抽出したこと示すフラグ情報を付加することで、抽出された移設後レイアウト情報と、抽出されていない移設後レイアウト情報とは区別される。
【００３５】
次のステップＳ１７０は、抽出した移設後レイアウト情報の設備移設内容を表示するステップである。実施の形態１に係わるレイアウト支援システム１０においては、制御手段１００は、抽出した移設後レイアウト情報に対応する設備移設内容を示す情報として、例えば、移設した設備名称と移設先の情報、移設したときの物流コスト等を表示手段１５０で表示する。
【００３６】
図５は、表示手段１５０で表示される設備移設内容を示す情報の一例を示した図である。表示手段１５０とはディスプレイ等の表示装置であり、図５に示したように、表示手段１５０には、抽出した移設後レイアウト情報に対する設備移設内容を示すレコード情報が表示される。設備を移設した内容を示す情報として、レコード情報１５１には、抽出した移設後レイアウト情報に含まれる設備情報１１３の設備名称１１３ａ、設備設置情報１１３ｄが含まれ、また抽出した移設後レイアウト情報の物流コストも含まれる。
【００３７】
また、図５に示したように、移設したときの設備設置情報１１３ｄは、ＣＡＤ等のレイアウト作成システムで取り扱う座標値ではなく、移設先のフロアのブロック番号等のレイアウト作成者が認識しやすい情報に変換して表示することが望ましい。加えて、図５に示したように、物流コストを表示する際に、物流コストの変化率（現状の物流コストからの変化量を示す割り合い）も同時に表示することも望ましい。
【００３８】
更に、制御手段１００には、表示手段１５０で表示しているレコード情報を、レコード情報単位でソート（並び替え）するソート手段が備えられている。例えば、物流コストをソートのキー情報とすれば、表示手段１５０から得られる情報から、レイアウト作成者は最も物流コストが低いレイアウト情報を容易に識別できる。
【００３９】
次のステップＳ１８０は、抽出した移設後レイアウト情報の中から、レイアウト作成者が所望するレイアウト情報が選択されるステップである。実施の形態１に係わるレイアウト支援システム１０においては、表示手段１５０で表示されているレコード情報１５１の中から、レコード情報を選択する情報が、入力手段１６０によって入力され、選択されたレコード情報に対応するレイアウト情報は、制御手段１００によって情報記憶手段１１０に記憶する。
【００４０】
なお、実施の形態１において、移設する設備は、設備情報１１３の設備移設情報１１３ｅに基いて選択されたが、入力手段１６０から移設する設備を特定する情報（例えば、設備番号情報１１３ｂ）を入力することで、移設する設備を選択してもよい。この場合は、図２のステップＳ１３０は、入力手段１６０から、移設する設備を特定する情報（例えば、設備番号情報１１３ｂ）を入力するステップとなり、ステップＳ１４０は、選択された設備を移設したときのレイアウト情報を生成するステップとなる。
【００４１】
また、実施の形態１においては、情報記憶部１１０に記憶された現状のレイアウト情報から、設備を移設したときの移設後レイアウト情報を生成したが、レイアウト支援システム１０によって情報記憶１１０に記憶された移設後レイアウト情報（ステップＳ１８０で記憶されたレイアウト情報）を移設前レイアウト情報として、レイアウト支援システム１０を用いて他の設備を移設したときのレイアウト情報を生成してもよい。
【００４２】
〔実施の形態２〕
ここから、本発明に係わる実施の形態２について説明する。実施の形態２のレイアウト支援システムは、実施の形態１のレイアウト支援システム１０に、抽出した移設後レイアウト情報の中から一つ以上の移設後レイアウト情報を自動で選択する選択手段を付加したレイアウト支援システムである。
【００４３】
図６に示したように、実施の形態２のレイアウト支援システム２０には、実施の形態１のレイアウト支援システム１０に加えて、レイアウト情報選択手段２７０が付加されている。レイアウト情報選択手段２７０とは、物流コストに基いて抽出された、移設後レイアウト情報の中から、事前に設定され、情報記憶手段２１０に記憶された選択条件に従って一つ以上の移設後レイアウト情報を選択する手段である。図６に示した２１０から２６０までの各手段は、図１に示した１１０から１６０までの各手段と同じである。
【００４４】
ここで、事前に設定された選択条件とは、レイアウトを選択する際に重要視される条件（例えば、物流コストが最も低い、物流ルートの距離が最も短い）が好適である。レイアウト情報選択手段２７０とは、複数の移設後レイアウト情報の中から、選択条件に適合する移設後レイアウト情報を選択する手段である。
【００４５】
ここから、図６に示した実施の形態２に係わるレイアウト支援方法の手順を示しながら、レイアウト支援システム２０の動作手順について説明する。レイアウト支援システム２０の動作手順を説明することで、実施の形態２のレイアウト支援システム２０の特徴であるレコード情報選択手段２７０の機能が明確になる。図７は、実施の形態２に係わるレイアウト支援方法の手順を示したフロー図である。
【００４６】
図７におけるステップＳ２１０からステップＳ２６０は、図２におけるステップＳ１１０からステップＳ１６０とそれぞれ同じ内容であるため、ここでは説明を省く。ステップＳ２７０は、ステップＳ２６０で抽出した移設後レイアウト情報の中から、選択条件に適合する移設後レイアウト情報を選択するステップである。
【００４７】
実施の形態２のレイアウト支援システム２０においては、レイアウト情報選択手段２７０は、情報記憶手段２１０に記憶された選択条件を読取り、物流コストに基いて抽出され、情報記憶手段２１０に記憶された移設後レイアウト情報の中から、選択条件に適合する移設後レイアウト情報を選択する。
【００４８】
例えば、選択条件が「物流コストの最も低いレイアウト情報」の場合は、抽出された移設後レイアウト情報と共に、情報記憶手段２１０内に記憶された物流コストをすべて読取り、物流コストが最も低い移設後レイアウト情報が選択される。また、選択条件が「物流ルートが最も短いレイアウト情報」の場合は、抽出された移設後レイアウト情報の建物情報から、各設備相互間の物流ルートの距離を合計値を算出し、算出した前記合計値が最も短い移設後レイアウト情報が選択される。
【００４９】
次のステップＳ２８０は、選択した移設後レイアウト情報に関する情報を表示し、選択した移設後レイアウト情報を記憶するステップである。実施の形態２のレイアウト支援システム２０においては、レイアウト情報選択手段２７０で選択されたレイアウト情報は、制御手段２００に伝送され、制御手段２００は、選択されたレイアウト情報のレコード情報を表示手段２５０で表示し、選択された移設後レイアウト情報を情報記憶手段２１０に記憶する。
【図面の簡単な説明】
【００５０】
【図１】実施の形態１のレイアウト支援システムの機能ブロック図。
【図２】実施の形態１に係わるレイアウト支援方法のフロー図。
【図３】レイアウト情報を説明するための図。
【図４】物流量を説明するための図。
【図５】表示手段で表示される情報を説明するための図。
【図６】実施の形態２のレイアウト支援システムの機能ブロック図。
【図７】実施の形態２に係わるレイアウト支援方法のフロー図。
【符号の説明】
【００５１】
１０、２０  レイアウト支援システム
１００、２００  制御手段
１１０、２１０  情報記憶手段
１２０、２２０  レイアウト生成手段
１３０、２３０  評価指標演算手段
１３１、２３１  物流コスト演算手段
１３２、２３２  物流量ＤＢ
１４０、２４０  レイアウト情報抽出手段
１５０、２５０  表示手段
１６０、２６０  入力手段
２７０  レイアウト情報選択手段
【図１】
2006048482.tif 000003
【図２】
2006048482.tif 000004
【図３】
2006048482.tif 000005
【図４】
2006048482.tif 000006
【図５】
2006048482.tif 000007
【図６】
2006048482.tif 000008
【図７】
2006048482.tif 000009